(57)【要約】  【課題】  遠隔操作機に設けるキーの数を削減すると共に、ユーザが行なうキー操作における操作数を減少させてキー操作を簡略化する電気機器及び電気機器システムを提供する。  【解決手段】  ユーザがメニューキー３３を操作した場合に表示部１５に表示されるメニュー画面において、カーソルが示す設定条件に対して選択したい設定条件が上下左右のいずれに表示されているかに応じて、ユーザはメニューキー３３を操作した状態で、上側受光部１８、下側受光部２２、左側受光部１６及び右側受光部２０のいずれかにリモコン装置３の送信部３０を向ける。制御部は、リモコン装置３からのコード信号を受光した受光部（左側受光部１６、上側受光部１８、右側受光部２０又は下側受光部２２）に基づいて、メニュー画面中カーソルを移動させる。【選択図】      図１
2006339886.tif 000002
【特許請求の範囲】
【請求項１】
遠隔操作機から発せられたコード信号を受け付ける複数のコード受付部がそれぞれ相違する箇所に設けられた電気機器において、
前記コード受付部には、それぞれが設けられた箇所に応じた処理が割り当てられており、
前記コード受付部が前記コード信号を受け付けた場合、複数の選択可能項目を含むメニュー画像を表示する表示部と、
該表示部が前記メニュー画像の表示中に前記コード受付部のいずれかが前記コード信号を受け付けた場合、前記コード信号を受け付けたコード受付部に割り当てられた処理に基づいて前記メニュー画像に含まれる選択可能項目を変更する変更手段と
を備えることを特徴とする電気機器。
【請求項２】
前記表示部は、矩形状であり、
前記コード受付部は、前記表示部の対向する一方の辺部及び他方の辺部のそれぞれ外側に設けられており、
前記メニュー画像は、前記コード受付部の対向する方向に沿って選択可能項目を並べており、
前記変更手段は、前記コード受付部が前記コード信号を受け付けた場合、前記メニュー画像に含まれる選択可能項目を、前記一方の向きへ又は前記他方の向きへ順次移動させることを特徴とする請求項１に記載の電気機器。
【請求項３】
前記メニュー画像は、前記コード受付部のそれぞれが設けられた箇所に対応する位置に選択可能項目を並べており、
前記変更手段は、前記コード信号を受け付けたコード受付部に割り当てられた処理に基づいて、前記コード受付部が設けられた箇所に対応する位置の選択可能項目に変更することを特徴とする請求項１又は２に記載の電気機器。
【請求項４】
前記変更手段は、前記コード受付部が前記コード信号を所定時間受け付けた場合、前記コード受付部に割り当てられた処理に基づいて前記メニュー画像に含まれる選択可能項目を順次変更することを特徴とする請求項１乃至３のいずれかひとつに記載の電気機器。
【請求項５】
前記表示部が前記メニュー画像の表示中に前記コード受付部が前記コード信号の受け付けを終了した場合、この時点で前記変更手段によって変更された選択可能項目を決定する手段を備えることを特徴とする請求項４に記載の電気機器。
【請求項６】
前記コード受付部が受け付け可能な範囲よりも広い範囲のコード信号の受け付けが可能な全コード受付部を備え、
前記変更手段は、前記全コード受付部が受け付けたコード信号及び該コード信号を受け付けたコード受付部に割り当てられた処理に基づいて前記メニュー画像に含まれる選択可能項目を変更することを特徴とする請求項１乃至５のいずれかひとつに記載の電気機器。
【請求項７】
前記コード受付部は、複数種類のコード信号を受け付けており、
前記表示部は、前記コード受付部が受け付けたコード信号の種類に応じたメニュー画像を表示するように構成してあることを特徴とする請求項１乃至６のいずれかひとつに記載の電気機器。
【請求項８】
異なるコード受付部が前記コード信号を順に受け付けた場合、各コード受付部が前記コード信号を受け付けた受付順序に応じた処理を実行する手段を備えることを特徴とする請求項１乃至７のいずれかひとつに記載の電気機器。
【請求項９】
遠隔操作機から発せられたコード信号を受け付ける複数のコード受付部がそれぞれ相違する箇所に設けられた電気機器において、
前記コード受付部には、それぞれが設けられた箇所に応じた処理が割り当てられており、
異なるコード受付部が前記コード信号を順に受け付けた場合、各コード受付部が前記コード信号を受け付けた受付順序に応じた処理を実行する手段を備えることを特徴とする電気機器。
【請求項１０】
請求項１乃至９のいずれかひとつに記載の電気機器と、前記コード信号が割り当てられた操作スイッチを有する遠隔操作機とを含むことを特徴とする電気機器システム。
【請求項１１】
請求項７に記載の電気機器と、前記複数種類のコード信号のそれぞれが割り当てられた複数の操作スイッチを有する遠隔操作機とを含むことを特徴とする電気機器システム。
【発明の詳細な説明】
【技術分野】
【０００１】
本発明は、遠隔操作機から発せられたコード信号を受け付けるコード受付部がそれぞれ相違する箇所に複数設けられた電気機器及び電気機器システムに関するものである。
【背景技術】
【０００２】
テレビジョン放送信号を受信するテレビジョン装置、該テレビジョン装置に接続され、受信したテレビジョン放送信号を記録媒体に記録し、必要に応じて接続されたテレビジョン装置で再生する記録再生装置等の各種の電子機器が普及している。テレビジョン装置のユーザは、テレビジョン装置に表示された映像をテレビジョン装置のモニタからある程度離れた位置で視聴することが好ましい。従って、テレビジョン装置又は記録再生装置は、リモートコントロール装置（以下、リモコン装置という）による遠隔操作が可能に構成されている。なお、特許文献１及び２では、リモコン装置から発せられる信号をより精度良く受信するために、複数の受信部が設けられた電気機器が開示されている。
【０００３】
図１０は従来のテレビジョン装置の一般的な構成例を示す模式図である。従来のテレビジョン装置１００は、表示面の中央に液晶ディスプレイ又はＣＲＴディスプレイ等からなる表示部１０１を備えており、表示部１０１の周囲の例えば下側中央にリモコン装置１０３から発せられる赤外線を受光する受光部１０２が配置されている。リモコン装置１０３は、例えばテレビジョン装置１００の電源を入れるための電源ボタン１０５、０〜９の数字キー１０６、十字キー及びエンターキーからなるカーソルキー１０７、所定のメニュー画面を表示部１０１に表示させるためのメニューキー１０８等の複数の操作ボタンを備えており、ユーザによって操作された各操作ボタンに対応したコード信号を、赤外線を利用した無線通信により送信部１０４から受光部１０２へ向けて送信する。
【０００４】
上述した構成のテレビジョン装置１００は、自身が備える機能における各種の設定条件をユーザが適切に設定することにより、ユーザが所望する設定条件にて各種の機能を有効に動作させることができる。テレビジョン装置１００においては、例えば、表示部１０１の明るさをユーザが見易い明るさに変更することができる。ユーザは、各設定条件を設定するためのメニュー画面を表示部１０１に表示させる場合、リモコン装置１０３のメニューキー１０８を操作し、これにより、テレビジョン装置１００の表示部１０１には、図１０に示すようなメニュー画面を表示させることができる。
【０００５】
図１０に示すメニュー画面では、映像に関する各種設定条件がプルダウンメニューとして表示されており、ユーザは、カーソルキー１０７の上下キーを操作することによって、映像に関する所望の設定条件を選択することができる。また、図１０に示すメニュー画面において、ユーザがカーソルキー１０７の右キーを１回操作した場合、映像に関する設定条件のプルダウン表示が終了すると共に音声に関する各種設定条件がプルダウンメニューとして表示される。音声に関する設定条件についても同様にカーソルキー１０７の上下キーを操作することによって所望の設定条件を選択することができる。
【０００６】
図１１は従来のテレビジョン装置１００に表示されるメニュー画面の変形例を示す模式図である。図１１に示すようなメニュー画面の表示を行なうテレビジョン装置１００では、例えばリモコン装置１０３のメニューキー１０８が操作された場合、図１１（ａ）に示すメニュー画面がまず表示部１０１に表示される。図１１（ａ）に示すメニュー画面は、映像用の設定条件を設定するための映像用メニュー、音声用の設定条件を設定するため音声用メニュー、予めユーザによって設定されている設定条件１に関する設定条件を設定するための設定１用メニューのいずれかの選択を促す。
【０００７】
図１１（ａ）に示すメニュー画面において、ユーザはカーソルキー１０７の上下キーを操作することによって所望のメニューを選択し、例えば「映像用メニュー」が選択された場合、図１１（ｂ）に示すような映像用の設定条件を設定するための映像用メニューが表示部１０１に表示される。更にユーザは、図１１（ｂ）に示すメニュー画面において、カーソルキー１０７の上下キーを操作することによって所望の設定条件を選択し、例えば「カラー」が選択された場合、図１１（ｃ）に示すようなカラー設定画面が表示部１０１に表示される。
【０００８】
上述したように、表示部１０１に表示されたメニュー画面を必要に応じて順次切り替えて表示させることにより、各メニュー画面の指示に従って各種の設定条件を設定することができ、ユーザが所望する設定条件に従ってより良好に映像及び音声を出力させることができる。
【特許文献１】特開２０００−２０９６７６号公報
【特許文献２】特開２００４−４８４６３号公報
【発明の開示】
【発明が解決しようとする課題】
【０００９】
しかし、各種の電気機器には多数の機能が搭載されており、それぞれの機能における設定条件をユーザが必要に応じて設定する場合には、上述したように所望のメニュー画面を順次切り替えて表示させる必要があり、非常に煩雑なキー操作を強いられる。具体的には、リモコン装置に設けられた複数種類の操作キーから適切な操作キーを選択し、選択した操作キーを適切に操作する必要がある。また、所望のメニュー画面を表示させるための操作キーをリモコン装置に多数設ける必要があるので、リモコン装置の製造手間を要すると共に、製造コストが増大するという問題を有している。
【００１０】
本発明は斯かる事情に鑑みてなされたものであり、その目的とするところは、所望のメニュー画面を表示させて所望の選択可能項目を選択するために行なうユーザによるキーの操作数を減少させてキー操作を簡略化できると共に、リモコン装置に設けるキーの数を削減できる電気機器及び電気機器システムを提供することにある。
【００１１】
本発明の他の目的は、メニュー画面中の選択可能項目の表示箇所に従って遠隔操作機をどのコード受付部に向けて操作すればよいかを直感的に判断でき、ユーザのキー操作による負担をより軽減できる電気機器及び電気機器システムを提供することにある。
【００１２】
更に、本発明の他の目的は、精度良く遠隔操作機からのコード信号を受け付けることができ、遠隔操作機を介した操作の精度を向上させる電気機器及び電気機器システムを提供することにある。
【課題を解決するための手段】
【００１３】
本発明に係る電気機器は、遠隔操作機から発せられたコード信号を受け付ける複数のコード受付部がそれぞれ相違する箇所に設けられた電気機器において、前記コード受付部には、それぞれが設けられた箇所に応じた処理が割り当てられており、前記コード受付部が前記コード信号を受け付けた場合、複数の選択可能項目を含むメニュー画像を表示する表示部と、該表示部が前記メニュー画像の表示中に前記コード受付部のいずれかが前記コード信号を受け付けた場合、前記コード信号を受け付けたコード受付部に割り当てられた処理に基づいて前記メニュー画像に含まれる選択可能項目を変更する変更手段とを備えることを特徴とする。
【００１４】
本発明では、遠隔操作機からのコード信号を受け付けるコード受付部がそれぞれ相違する箇所に複数設けてあり、コード受付部が前記コード信号を受け付けた場合、複数の選択可能項目を含むメニュー画像を表示する。また、このメニュー画像の表示中にコード受付部のいずれかが前記コード信号を受け付けた場合、コード信号を受け付けたコード受付部に割り当てられた処理に基づいて表示中のメニュー画像において選択すべき選択可能項目を変更する。
【００１５】
本発明に係る電気機器は、前記表示部は、矩形状であり、前記コード受付部は、前記表示部の対向する一方の辺部及び他方の辺部のそれぞれ外側に設けられており、前記メニュー画像は、前記コード受付部の対向する方向に沿って選択可能項目を並べており、前記変更手段は、前記コード受付部が前記コード信号を受け付けた場合、前記メニュー画像に含まれる選択可能項目を、前記一方の向きへ又は前記他方の向きへ順次移動させることを特徴とする。
【００１６】
本発明では、コード受付部が矩形状の表示部の対向する一方の辺部及び他方の辺部のそれぞれ外側に設けてあり、前記コード受付部の対向する方向に沿って選択可能項目を並べたメニュー画像の表示中にコード受付部が遠隔操作機からのコード信号を受け付けた場合、表示中のメニュー画像において選択すべき選択可能項目を前記一方の向きへ又は前記他方の向きへ順次移動させる。
【００１７】
本発明に係る電気機器は、前記メニュー画像は、前記コード受付部のそれぞれが設けられた箇所に対応する位置に選択可能項目を並べており、前記変更手段は、前記コード信号を受け付けたコード受付部に割り当てられた処理に基づいて、前記コード受付部が設けられた箇所に対応する位置の選択可能項目に変更することを特徴とする。
【００１８】
本発明では、選択可能項目をコード受付部のそれぞれが設けられた箇所に対応する位置に並べたメニュー画像を表示しており、コード受付部のいずれかがコード信号を受け付けた場合、表示中のメニュー画像において選択すべき選択可能項目を、前記コード受付部が設けられた箇所に対応する位置の選択可能項目に変更する。
【００１９】
本発明に係る電気機器は、前記変更手段は、前記コード受付部が前記コード信号を所定時間受け付けた場合、前記コード受付部に割り当てられた処理に基づいて前記メニュー画像に含まれる選択可能項目を順次変更することを特徴とする。
【００２０】
本発明では、コード受付部のいずれかがコード信号を所定時間受け付けた場合、表示中のメニュー画像において選択すべき選択可能項目を順次変更する。よって、遠隔操作機から前記コード信号を受け付けている場合に所定時間毎に選択すべき選択可能項目を変更する。
【００２１】
本発明に係る電気機器は、前記表示部が前記メニュー画像の表示中に前記コード受付部が前記コード信号の受け付けを終了した場合、この時点で前記変更手段によって変更された選択可能項目を決定する手段を備えることを特徴とする。
【００２２】
本発明では、コード信号を受け付けていたコード受付部が遠隔操作機からの前記コード信号の受け付けを終了した場合、この時点までに順次変更された選択可能項目を選択すべき項目に決定する。
【００２３】
本発明に係る電気機器は、前記コード受付部が受け付け可能な範囲よりも広い範囲のコード信号の受け付けが可能な全コード受付部を備え、前記変更手段は、前記全コード受付部が受け付けたコード信号及び該コード信号を受け付けたコード受付部に割り当てられた処理に基づいて前記メニュー画像に含まれる選択可能項目を変更することを特徴とする。
【００２４】
本発明では、設けられた箇所に応じた処理を割り当てられた複数のコード受付部が受け付け可能な範囲よりも広い範囲のコード信号の受け付けが可能な全コード受付部を備えており、全コード受付部が受け付けたコード信号及び該コード信号を受け付けたコード受付部に割り当てられた処理に基づいて表示中のメニュー画像において選択すべき選択可能項目を変更する。
【００２５】
本発明に係る電気機器は、前記コード受付部は、複数種類のコード信号を受け付けており、前記表示部は、前記コード受付部が受け付けたコード信号の種類に応じたメニュー画像を表示するように構成してあることを特徴とする。
【００２６】
本発明では、コード受付部が複数種類のコード信号のいずれかを受け付けた場合、受け付けたコード信号の種類に応じたメニュー画像を表示する。よって、複数の選択可能項目を含む複数のメニュー画像のそれぞれにおいて、上述したような処理により任意の選択可能項目を選択することが可能となる。
【００２７】
本発明に係る電気機器は、異なるコード受付部が前記コード信号を順に受け付けた場合、各コード受付部が前記コード信号を受け付けた受付順序に応じた処理を実行する手段を備えることを特徴とする。
【００２８】
本発明に係る電気機器は、遠隔操作機から発せられたコード信号を受け付ける複数のコード受付部がそれぞれ相違する箇所に設けられた電気機器において、前記コード受付部には、それぞれが設けられた箇所に応じた処理が割り当てられており、異なるコード受付部が前記コード信号を順に受け付けた場合、各コード受付部が前記コード信号を受け付けた受付順序に応じた処理を実行する手段を備えることを特徴とする。
【００２９】
本発明では、遠隔操作機からのコード信号を異なるコード受付部が順に受け付けた場合、各コード受付部が前記コード信号を受け付けた受付順序に応じた処理を実行する。
【００３０】
本発明に係る電気機器システムは、前記電気機器と、前記コード信号が割り当てられた操作スイッチを有する遠隔操作機とを含むことを特徴とする。
【００３１】
本発明では、遠隔操作機に設けられた操作スイッチを操作することによって、複数の選択可能項目を含むメニュー画像を表示部に表示させ、前記操作スイッチを操作した状態で遠隔操作機を適切なコード受付部に向けることによって、表示中のメニュー画像において選択すべき選択可能項目を適宜変更することが可能となる。
【００３２】
本発明に係る電気機器システムは、前記電気機器と、前記複数種類のコード信号のそれぞれが割り当てられた複数の操作スイッチを有する遠隔操作機とを含むことを特徴とする。
【００３３】
本発明では、複数の選択可能項目を含む複数のメニュー画像のそれぞれを表示させるための各操作スイッチをそれぞれ操作することによって、各メニュー画像を表示部に表示させ、各操作スイッチを操作した状態で遠隔操作機を適切なコード受付部に向けることによって、表示中の各メニュー画像において選択すべき選択可能項目を適宜変更することが可能となる。
【発明の効果】
【００３４】
本発明によれば、複数の選択可能項目を含むメニュー画像の表示中に、複数のコード受付部のいずれかが遠隔操作機からのコード信号を受け付けた場合、コード信号を受け付けたコード受付部に割り当てられた処理に基づいて前記メニュー画像において選択すべき選択可能項目を変更する。よって、遠隔操作機を操作するユーザは、所望のメニュー画面を表示させて所望の選択可能項目を選択するために煩雑なキー操作を行なうことなく、遠隔操作機を所望のコード受付部へ向けて操作すればよい。
【００３５】
本発明によれば、コード受付部が矩形状の表示部の対向する一方の辺部及び他方の辺部のそれぞれ外側に設けてあり、選択可能項目をコード受付部の対向する方向に沿って並べたメニュー画像の表示中にコード受付部が遠隔操作機からのコード信号を受け付けた場合、前記メニュー画像において選択すべき選択可能項目を前記一方の向きへ又は前記他方の向きへ順次移動させる。よって、遠隔操作機を操作するユーザは、選択すべき選択可能項目を前記一方の向き（又は前記他方の向き）へ移動させるために、遠隔操作機を前記一方の辺部（又は前記他方の辺部）の外側に設けられたコード受付部へ向けて操作すればよい。
【００３６】
本発明によれば、選択可能項目をコード受付部のそれぞれが設けられた箇所に対応する位置に並べたメニュー画像を表示しており、コード受付部のいずれかがコード信号を受け付けた場合、表示中のメニュー画像において選択すべき選択可能項目を前記コード受付部が設けられた箇所に対応する位置の選択可能項目に変更する。よって、遠隔操作機を操作するユーザは、メニュー画像中の選択可能項目の表示箇所に従って遠隔操作機をどのコード受付部に向けて操作すればよいかを直感的に判断することができ、ユーザのキー操作による負担をより軽減することができる。
【００３７】
本発明によれば、コード受付部のいずれかが遠隔操作機からコード信号を受け付けている場合、所定時間毎に表示中のメニュー画像において選択すべき選択可能項目を順次変更する。よって、遠隔操作機を操作するユーザは、選択すべき選択可能項目を指定するために例えばカーソルキーを複数回操作することなく、遠隔操作機を所望のコード受付部へ向けて所定時間操作し続ければよく、ユーザのキー操作による負担をより軽減することができる。
【００３８】
本発明によれば、コード受付部が遠隔操作機からのコード信号の受け付けを終了した場合、この時点までに順次変更された選択可能項目を選択すべき項目に決定する。よって、遠隔操作機を操作するユーザは、前記コード信号に対応する操作ボタンを操作することにより順次変更されていく選択すべき選択可能項目を決定したい場合に前記操作ボタンの操作を終了すればよく、選択可能項目を決定するために例えば決定キーを操作する必要がない。
【００３９】
本発明によれば、遠隔操作機からのコード信号を受け付けたコード受付部に割り当てられた処理と、前記コード受付部が受け付け可能な範囲よりも広い範囲のコード信号の受け付けが可能な全コード受付部が受け付けたコード信号とに基づいて、表示中のメニュー画像において選択すべき選択可能項目を変更する。よって、コード受付部のみを備える構成と比較して精度良く遠隔操作機からのコード信号を受け付けることができ、遠隔操作機を介した操作の精度を向上させることができる。
【００４０】
本発明によれば、コード受付部が複数種類のコード信号のいずれかを受け付けた場合、受け付けたコード信号の種類に応じたメニュー画像を表示する。よって、遠隔操作機を操作するユーザは、前記コード信号に対応する操作ボタンを操作することにより所望のメニュー画像を表示させることができる。また、複数の選択可能項目を含む複数のメニュー画像のそれぞれにおいて、上述したような処理により任意の選択可能項目を選択することができる。
【００４１】
本発明によれば、遠隔操作機からのコード信号を異なるコード受付部が順に受け付けた場合、各コード受付部が前記コード信号を受け付けた受付順序に応じた処理を実行する。よって、遠隔操作機を操作するユーザは、前記コード信号に対応する操作ボタンを操作して遠隔操作機を所定の順序で各コード受付部へ向ければよく、ユーザによるキーの操作数を減少させてキー操作による負担をより軽減することができる。
【００４２】
本発明によれば、遠隔操作機に設けられた操作スイッチを操作することによって、複数の選択可能項目を含むメニュー画像を表示部に表示させることができ、前記操作スイッチを操作した状態で遠隔操作機を適切なコード受付部に向けることによって、表示中のメニュー画像において選択すべき選択可能項目を適宜変更することができる。
【００４３】
本発明によれば、複数の選択可能項目を含む複数のメニュー画像のそれぞれを表示させるための各操作スイッチをそれぞれ操作することによって、各メニュー画像を表示部に表示させることができ、各操作スイッチを操作した状態で遠隔操作機を適切なコード受付部に向けることによって、表示中の各メニュー画像において選択すべき選択可能項目を適宜変更することができる。
【発明を実施するための最良の形態】
【００４４】
以下に、本発明に係る電気機器を、その実施形態である液晶表示テレビジョン装置（以下、テレビジョン装置という）を示す図面に基づいて詳述する。
【００４５】
（実施形態１）
図１は実施形態１に係るテレビジョン装置の構成例を示す模式図、図２は実施形態１に係るテレビジョン装置の構成例を示すブロック図である。本実施形態１のテレビジョン装置１は、リモコン装置（遠隔操作機）３と赤外線を利用したＩｒＤＡ（Infrared Data Association）規格に従う無線通信が可能に構成されており、リモコン装置３を介して遠隔から操作することができる。なお、テレビジョン装置１とリモコン装置３とを、赤外線を利用した無線通信だけでなく、例えば、ＩＥＥＥ８０２．１１ｂ規格に準拠した無線ＬＡＮ、及びBluetooth規格に従う無線通信等の無線通信が可能に接続してもよい。
【００４６】
テレビジョン装置１は、図１に示すように、例えば複数の液晶素子を２次元マトリクス状に配列してなる矩形状の液晶表示パネルにより構成された表示部１５を表示面の中央に備えている。また、表示部１５の対向する二辺部のそれぞれ外側、具体的には表示部１５の周囲の左側及び右側と、上側及び下側のそれぞれ中央にリモコン装置３から発せられる赤外線（コード信号）を受光する左側受光部（コード受付部）１６、右側受光部（コード受付部）２０、上側受光部（コード受付部）１８及び下側受光部（コード受付部）２２が配置されている。なお、左側受光部１６、上側受光部１８、右側受光部２０及び下側受光部２２のそれぞれが受光可能な赤外線の受光範囲は、完全に４分割されている必要はなく、重複する領域を有していてもよい。
【００４７】
また、テレビジョン装置１は、上述した構成のほかに制御部１０、ＲＯＭ１１、ＲＡＭ１２、チューナ１３、操作部１４、左側受光部１６に接続された第１コード解析部１７、上側受光部１８に接続された第２コード解析部１９、右側受光部２０に接続された第３コード解析部２１、下側受光部２２に接続された第４コード解析部２３、コード処理部２４等を備えており、それぞれはバス１ａを介して相互に接続されている。
【００４８】
制御部１０は、タイマ（図示せず）を有するＣＰＵ（Central Processing Unit ）又はＭＰＵ（Micro Processor Unit）等により構成されており、バス１ａを介して接続されている上述したようなハードウェア各部を制御すると共に、ＲＯＭ１１に予め格納されている制御プログラムを適宜ＲＡＭ１２に読み出して実行する。ＲＯＭ１１は、テレビジョン装置１を本発明に係る電気機器として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００４９】
チューナ１３は、例えばＵＨＦテレビジョン放送信号及びＶＨＦテレビジョン放送信号、ＢＳ放送信号又はＣＳ放送信号等の受信用チューナであり、ユーザによって選択された放送チャンネルに応じた放送番組の番組データに含まれる映像を表示部１５へ入力する。なお、チューナ１３が受信した放送番組の番組データに含まれる音声は、図示しないスピーカへ入力されて音声出力される。
【００５０】
操作部１４は、ユーザがテレビジョン装置１を操作するために必要な各種のキーを備えており、ユーザにより各キーが操作された場合、操作されたキーに対応した制御信号を制御部１０へ送出し、制御部１０は操作部１４から取得した制御信号に対応した処理を実行する。
【００５１】
左側受光部１６、上側受光部１８、右側受光部２０及び下側受光部２２はそれぞれ、リモコン装置３からの赤外線を受光して所定の電気信号に変換し、得られた電気信号をそれぞれ接続してある第１コード解析部１７、第２コード解析部１９、第３コード解析部２１及び第４コード解析部２３へ入力する。
【００５２】
第１コード解析部１７、第２コード解析部１９、第３コード解析部２１及び第４コード解析部２３は、それぞれ接続してある左側受光部１６、上側受光部１８、右側受光部２０及び下側受光部２２から入力された電気信号を解析し、リモコン装置３を介して入力されたコード信号を検出する。また、第１コード解析部１７、第２コード解析部１９、第３コード解析部２１及び第４コード解析部２３は、それぞれ検出したコード信号をコード処理部２４へ送出する。
【００５３】
コード処理部２４は、第１コード解析部１７、第２コード解析部１９、第３コード解析部２１及び第４コード解析部２３からそれぞれ取得したコード信号に基づいて、リモコン装置３から発せられたコード信号を受信した受光部（左側受光部１６、上側受光部１８、右側受光部２０又は下側受光部２２）を特定し、特定した受光部及びリモコン装置３から受け付けたコード信号を制御部１０へ通知する。制御部１０は、コード処理部２４から通知された情報に対応した処理を実行する。
【００５４】
リモコン装置３は、図１に示すように、テレビジョン装置１の電源を入れるための電源ボタン３１、０〜９の数字キー３２、所定のメニュー画面を表示部１５に表示させるためのメニューキー３３等の複数の操作ボタンを備えており、ユーザによって操作された各操作ボタンに対応したコード信号を、赤外線を利用した無線通信により送信部３０から左側受光部１６、上側受光部１８、右側受光部２０又は下側受光部２２へ向けて送信する。なお、リモコン装置３に設けられる操作ボタンは、押下することによってオン・オフすることができる押しボタン式のスイッチであってもよく、スライドさせることによってオン・オフすることができるスライド式のスイッチであってもよい。
【００５５】
ここで、上述した構成のテレビジョン装置１は、自身が備える機能における各種の設定条件をユーザが任意に変更できるように構成されている。従って、ユーザがリモコン装置３を左側受光部１６、上側受光部１８、右側受光部２０及び下側受光部２２のいずれかへ向けてメニューキー（操作スイッチ）３３を操作した場合、制御部１０は、コード処理部２４からメニューキー３３に対応するコード信号を取得し、図１に示すような複数の選択可能項目を含むメニュー画面を表示部１５に表示させる。なお、表示部１５に表示されるメニュー画面（メニュー画像）は予めＲＯＭ１１に記憶してある。
【００５６】
図１に示すメニュー画面は、表示部１５に表示される映像に関する各種設定条件（選択可能項目）、スピーカから音声出力される音声に関する各種設定条件（選択可能項目）、ユーザによって設定１として予め設定されている各種設定条件（選択可能項目）をそれぞれプルダウンメニューとして左右方向に並べて表示することができる。具体的には、図１に示すメニュー画面の表示中にユーザがリモコン装置３を適切に操作することによって、映像に関する種設定条件、音声に関する設定条件、設定１に関する設定条件をメニュー画面に表示させることができ、このメニュー画面に従ってユーザは映像及び音声等に関する各設定条件を任意に変更するためのメニュー画面（図示せず）の表示を指示することができる。
【００５７】
以下に、本実施形態１におけるリモコン装置３の操作方法について具体的に説明する。ユーザは、図１に示すメニュー画面を表示部１５に表示させるためにリモコン装置３のメニューキー３３を押下（操作）した場合、しばらく押下し続ける。なお、リモコン装置３が備えるメニューキー３３以外の操作ボタンは押下し続けて操作するものではなく、押下したか否かによってテレビジョン装置１を操作できるものである。
【００５８】
図１に示すメニュー画面は、表示された直後には画面中のカーソルが「映像」を選択しており、映像に関する複数の設定条件がプルダウンメニューとして上下方向に並べられて表示されている。ユーザは、映像に関するいずれかの設定条件を選択したい場合、メニューキー３３を押下した状態でリモコン装置３の送信部３０を下側受光部２２に向ける。このとき制御部１０は、メニューキー３３に対応するコード信号を下側受光部２２が受け付けた旨の通知をコード処理部２４から受け、下側受光部２２に割り当てられた処理、ここではメニュー画面中のカーソルを下側に移動させる処理に基づいて、メニュー画面において選択すべき映像に関する設定条件を下側に変更する変更手段として動作する。なお、制御部１０は、自身のタイマで所定時間を計時しており、所定時間が経過する毎にメニュー画面中のカーソルを１つずつ下側に移動させる。
【００５９】
一方、ユーザがメニューキー３３を押下した状態でリモコン装置３の送信部３０を上側受光部１８に向けた場合、制御部１０は、メニューキー３３に対応するコード信号を上側受光部１８が受け付けた旨の通知をコード処理部２４から受け、上側受光部１８に割り当てられた処理、ここではメニュー画面中のカーソルを上側に移動させる処理に基づいて、メニュー画面において選択すべき映像に関する設定条件を上側に変更する。なお、制御部１０は、自身のタイマで所定時間を計時しており、所定時間が経過する毎にメニュー画面中のカーソルを１つずつ上側に移動させる。
【００６０】
次に、ユーザは、図１に示すメニュー画面において、音声に関するいずれかの設定条件又は設定１に関するいずれかの設定条件を選択したい場合、メニューキー３３を押下した状態でリモコン装置３の送信部３０を右側受光部２０に向ける。このとき制御部１０は、メニューキー３３に対応するコード信号を右側受光部２０が受け付けた旨の通知をコード処理部２４から受け、右側受光部２０に割り当てられた処理、ここではメニュー画面中のカーソルを右側に移動させる処理に基づいて、メニュー画面中の映像に関する設定条件のプルダウンメニューの表示を終了し、音声に関する設定条件のプルダウンメニューを表示させる。
【００６１】
なお、制御部１０は、自身のタイマで所定時間を計時しており、所定時間が経過する毎にメニュー画面中のカーソルを１つずつ右側に移動させる。即ち、制御部１０は、メニューキー３３に対応するコード信号を右側受光部２０が受け付けた旨の通知をコード処理部２４から受け付けた場合、受け付けてから所定時間は音声に関する設定条件のプルダウンメニューを表示部１５に表示させ、所定時間が経過した場合、音声に関する設定条件のプルダウンメニューの表示を終了し、次に設定１に関する設定条件のプルダウンメニューを表示させる。
【００６２】
同様にして、ユーザがメニューキー３３を押下した状態でリモコン装置３の送信部３０を左側受光部１６に向けた場合、制御部１０は、メニューキー３３に対応するコード信号を左側受光部１６が受け付けた旨の通知をコード処理部２４から受け、左側受光部１６に割り当てられた処理、ここではメニュー画面中のカーソルを左側に移動させる処理に基づいて、メニュー画面において現在表示中のプルダウンメニューの表示を終了し、このプルダウンメニューの左側のプルダウンメニューを表示させる。
【００６３】
本実施形態１では、上述したように、ユーザがリモコン装置３のメニューキー３３を押下した状態で左側受光部１６、上側受光部１８、右側受光部２０又は下側受光部２２のいずれかに送信部３０を向けることによって、複数の選択可能項目を含むメニュー画面においてカーソルを所望の位置に任意に移動させることができる。また、ユーザは、図１に示すメニュー画面中の設定条件を決定したい場合、メニューキー３３の押下を終了する。リモコン装置３は、ユーザによるメニューキー３３の押下が終了した場合、エンター信号に対応するコード信号を左側受光部１６、上側受光部１８、右側受光部２０又は下側受光部２２へ向けて送信する。
【００６４】
このとき制御部１０は、リモコン装置３からエンター信号に対応するコード信号を受け付けた旨の通知をコード処理部２４から受け、この時点でカーソルが示す設定条件を決定し、決定した設定条件の設定値を変更するためのメニュー画面を表示部１５に表示させる。ユーザは、このメニュー画面に従って各設定条件の設定値を変更することにより、所望の条件での映像及び音声等の出力を行なうことができる。
【００６５】
以下に、上述した構成のテレビジョン装置１において、各種の設定条件における設定値を設定する際の処理について説明する。図３は実施形態１に係るテレビジョン装置１の設定条件の設定処理の手順を示すフローチャートである。なお、以下の処理は、テレビジョン装置１において、ＲＯＭ１１に予め格納されている制御プログラムに従って制御部１０が実行する。
【００６６】
テレビジョン装置１において、ユーザがリモコン装置３の操作ボタンを操作した場合、制御部１０は、左側受光部１６、上側受光部１８、右側受光部２０及び下側受光部２２のいずれかが受光した赤外線に基づいて第１コード解析部１７、第２コード解析部１９、第３コード解析部２１及び第４コード解析部２３が検出したコード信号をコード処理部２４から受け付け（Ｓ１）、受け付けたコード信号がメニューキー３３に対応するコード信号であるか否かを判断する（Ｓ２）。
【００６７】
制御部１０は、受け付けたコード信号がメニューキー３３に対応するコード信号でないと判断した場合（Ｓ２：ＮＯ）、受け付けたコード信号に対応する処理を実行し（Ｓ３）、処理を終了する。ここで、メニューキー３３に対応するコード信号でないコード信号とは、例えば電源ボタン３１及び数字キー３２に対応するコード信号である。制御部１０は、受け付けたコード信号がメニューキー３３に対応するコード信号であると判断した場合（Ｓ２：ＹＥＳ）、図１に示すようなメニュー画面を表示部１５に表示させ（Ｓ４）、リモコン装置３からのメニューキー３３に対応するコード信号の受け付けが終了したか否かを判断する（Ｓ５）。
【００６８】
制御部１０は、メニューキー３３に対応するコード信号の受け付けが終了していないと判断した場合（Ｓ５：ＮＯ）、即ち、ユーザがメニューキー３３を押下した状態でリモコン装置３の送信部３０を左側受光部１６、上側受光部１８、右側受光部２０又は下側受光部２２に向けた場合、メニューキー３３に対応するコード信号を受け付けた受光部（左側受光部１６、上側受光部１８、右側受光部２０又は下側受光部２２）に応じた方向へ、ステップＳ４で表示したメニュー画面中のカーソルを移動させ（Ｓ６）、ステップＳ５へ処理を戻す。
【００６９】
制御部１０は、メニューキー３３に対応するコード信号の受け付けが終了したと判断した場合（Ｓ５：ＹＥＳ）、即ち、リモコン装置３からエンター信号に対応するコード信号を受け付けた場合、この時点でカーソルが示す設定条件を特定し（Ｓ７）、特定した設定条件に対応するメニュー画面を表示部１５に表示させる（Ｓ８）。これによりユーザは、表示部１５に表示されたメニュー画面に従って各種設定条件の設定値を変更することができ、所望の条件での映像及び音声等の出力を行なうことができる。
【００７０】
上述したように、本実施形態１のテレビジョン装置１では、ユーザは、各種の設定条件を設定するためのメニュー画面において所望の設定条件を選択するためにリモコン装置３のメニューキー３３を押下し、メニューキー３３を押下した状態でリモコン装置３の送信部３０を左側受光部１６、上側受光部１８、右側受光部２０又は下側受光部２２に向ければよく、ユーザが行なうキーの操作数を減少させてキー操作を簡略化することができる。また、メニュー画面中の選択可能項目を選択するための十字キー及び決定キー（エンターキー）等をリモコン装置３に設ける必要がなく、キーの数を削減することができる。
【００７１】
（実施形態２）
図４は実施形態２に係るテレビジョン装置の構成例を示す模式図である。なお、本実施形態２のテレビジョン装置１の内部構成は、上述した実施形態１のテレビジョン装置１と同様であるため説明を省略する。本実施形態２のテレビジョン装置１において、リモコン装置３は、図４に示すように、電源ボタン３１、数字キー３２、所定のメニュー画面を表示部１５に表示させるための第１メニューキー３４、第２メニューキー３５、第３メニューキー３６等の複数の操作ボタンを備えている。
【００７２】
上述したように、本実施形態２のテレビジョン装置１には、複数種類のメニュー画面のそれぞれを表示させるために複数のメニューキー（操作スイッチ）３４，３５，３６がリモコン装置３に設けられており、左側受光部１６、上側受光部１８、右側受光部２０及び下側受光部２２は、各メニューキー３４，３５，３６に応じた複数種類のコード信号をリモコン装置３から受け付ける。従って、制御部１０は、リモコン装置３から発せられたコード信号の種類に応じたメニュー画面を表示部１５に表示させることができる。
【００７３】
具体的には、ユーザがリモコン装置３を左側受光部１６、上側受光部１８、右側受光部２０及び下側受光部２２のいずれかへ向けて第１メニューキー３４を操作した場合、制御部１０は、図４に示すような映像に関する設定条件（選択可能項目）を上下方向に並べたメニュー画面を表示部１５に表示させる。同様にユーザが第２メニューキー３５を操作した場合、制御部１０は、図５（ａ）に示すような音声に関する設定条件（選択可能項目）を上下方向に並べたメニュー画面を表示部１５に表示させる。またユーザが第３メニューキー３６を操作した場合、制御部１０は、図５（ｂ）に示すような設定１に関する設定条件（選択可能項目）を上下方向に並べたメニュー画面を表示部１５に表示させる。
【００７４】
図４に示すメニュー画面は、表示された直後には画面中のカーソルが「映像」を選択しており、このメニュー画面においても、上述の実施形態１で説明した操作方法に従って、第１メニューキー３４を押下した状態でリモコン装置３の送信部３０を上側受光部１８又は下側受光部２２に向けることによって、表示中の各メニュー画面中のカーソルを上下方向に移動させることができる。なお、制御部１０は、所定時間が経過する毎にメニュー画面中のカーソルを１つずつ上側又は下側に移動させる。
【００７５】
また、ユーザが第１メニューキー３４の押下を終了した場合、リモコン装置３は、エンター信号に対応するコード信号を左側受光部１６、上側受光部１８、右側受光部２０又は下側受光部２２へ向けて送信する。リモコン装置３からエンター信号に対応するコード信号を受け付けた場合、制御部１０は、この時点でカーソルが示す設定条件を決定し、決定した設定条件の設定値を変更するためのメニュー画面（図示せず）を表示部１５に表示させる。ユーザは、このメニュー画面に従って各設定条件の設定値を変更することにより、所望の条件での映像及び音声等の出力を行なうことができる。
【００７６】
なお、上述した実施形態２のメニュー画面は、選択可能項目（設定条件）を上下方向にのみ並べているため、リモコン装置３を操作するユーザは、メニューキー３４，３５，３６を押下した状態でリモコン装置３を上側受光部１８又は下側受光部２２へ向ければよい。従って、このようなメニュー画面を表示するテレビジョン装置１においては、左側受光部１６及び右側受光部２０を設ける必要はない。また同様に、選択可能項目を左右方向にのみ並べたメニュー画面を表示するテレビジョン装置１においては、左側受光部１６及び右側受光部２０のみを設けておけばよい。
【００７７】
（実施形態３）
図６は実施形態３に係るテレビジョン装置の構成例を示す模式図である。なお、本実施形態３のテレビジョン装置１及びリモコン装置３の内部構成は、上述した実施形態１のテレビジョン装置１及びリモコン装置３と同様であるため説明を省略する。本実施形態３のテレビジョン装置１において、ユーザがリモコン装置３のメニューキー３３を操作した場合、制御部１０は、図６（ａ）に示すようなメニュー画面を表示部１５に表示させる。
【００７８】
図６（ａ）に示すメニュー画面は、表示領域内の左上端に「映像」を、上端中央に「音声」を、右上端に「設定１」を、下端中央に「戻る」を表示しており、表示された直後には画面中のカーソルは「映像」を選択している。このメニュー画面においても、上述の実施形態１で説明した操作方法に従って、メニューキー３３を押下した状態でリモコン装置３の送信部３０を左側受光部１６、上側受光部１８、右側受光部２０又は下側受光部２２に向けることによって、メニュー画面中のカーソルを上下左右方向に移動させることができる。
【００７９】
また、ユーザがメニューキー３３の押下を終了した場合、リモコン装置３は、エンター信号に対応するコード信号を左側受光部１６、上側受光部１８、右側受光部２０又は下側受光部２２へ向けて送信する。リモコン装置３からエンター信号に対応するコード信号を受け付けた場合、制御部１０は、この時点でカーソルが示す選択可能項目を決定し、決定した選択可能項目に対応するメニュー画面を表示部１５に表示させる。図６（ａ）に示すメニュー画面においては「映像」が選択されており、「映像」が選択された場合、制御部１０は、図６（ｂ）に示すような映像に関する設定条件を並べたメニュー画面を表示部１５に表示させる。
【００８０】
図６（ｂ）に示すメニュー画面は、表示領域内の左上端に「コントラスト」を、上端中央に「明るさ」を、右上端に「カラー」を、左端中央に「色合い」を、右端中央に「シャープネス」を、下端中央に「戻る」を表示しており、表示された直後には画面中のカーソルは「コントラスト」を選択している。このメニュー画面において、ユーザがメニューキー３３を押下した状態でリモコン装置３の送信部３０を左側受光部１６、上側受光部１８、右側受光部２０又は下側受光部２２に向けることによって、メニュー画面中のカーソルを上下左右方向に移動させることができる。
【００８１】
また、ユーザがメニューキー３３の押下を終了した場合、制御部１０は、リモコン装置３からエンター信号に対応するコード信号を受け付け、この時点でカーソルが示す設定条件を決定し、決定した設定条件の設定値を変更するためのメニュー画面（図示せず）を表示部１５に表示させる。ユーザは、このメニュー画面に従って各設定条件の設定値を変更することにより、所望の条件での映像及び音声等の出力を行なうことができる。
【００８２】
なお、実施形態２で示したようにリモコン装置３に各メニュー画面に対応する操作スイッチ（第１メニューキー３４、第２メニューキー３５、第３メニューキー３６）を備えた場合、例えば第１メニューキー３４をユーザが操作することによって、図６（ａ）に示すメニュー画面を表示させることなく、図６（ｂ）に示すメニュー画面を表示部１５に表示させることができる。
【００８３】
上述した実施形態３のメニュー画面は、受光部１６，１８，２０，２２がそれぞれ設けられた箇所に対応する位置に選択可能項目を並べているため、リモコン装置３を操作するユーザは、所望の選択可能項目の表示箇所に従ってリモコン装置３をどの受光部１６，１８，２０，２２に向けて操作すればよいかを直感的に把握でき、ユーザのキー操作による負担をより軽減することができる。
【００８４】
（実施形態４）
図７は実施形態４に係るテレビジョン装置の構成例を示す模式図、図８は実施形態４に係るテレビジョン装置の構成例を示すブロック図である。なお、本実施形態４のテレビジョン装置１において、上述した実施形態１のテレビジョン装置１と同様の構成を有するものについては同一の符号を付して説明を省略する。
【００８５】
本実施形態４のテレビジョン装置１は、図７に示すように、表示部１５の周囲の左側、上側、右側及び下側のそれぞれ中央に左側受光部１６、上側受光部１８、右側受光部２０及び下側受光部２２が配置されているほか、左側受光部１６、上側受光部１８、右側受光部２０及び下側受光部２２のそれぞれが受光可能な受光範囲を網羅できる通常受光部（全コード受付部）２５を下側受光部２２の左隣に備えている。また、本実施形態４のテレビジョン装置１は、通常受光部２５に接続され、通常受光部２５から入力された電気信号を解析し、リモコン装置３を介して入力されたコード信号を検出する第５コード解析部２６を備えている。
【００８６】
従って、本実施形態４では、コード処理部２４は、第１コード解析部１７、第２コード解析部１９、第３コード解析部２１、第４コード解析部２３及び第５コード解析部２６からそれぞれ取得したコード信号に基づいて、リモコン装置３から発せられたコード信号を特定すると共に、該コード信号を受信した受光部（左側受光部１６、上側受光部１８、右側受光部２０又は下側受光部２２）を特定する。よって、通常受光部２５よりも赤外線の受光範囲が狭い受光部１６，１８，２０，２２のみを備える構成と比較して、リモコン装置３からのコード信号の受信精度を向上させることができ、リモコン装置３を介したテレビジョン装置１の操作精度を向上させることができる。
【００８７】
（実施形態５）
本実施形態５のテレビジョン装置１の内部構成は、上述した実施形態１のテレビジョン装置１と同様であるため説明を省略する。なお、本実施形態５のリモコン装置３は、実施形態１で示したメニューキー３３の代わりにスペシャルキー（図示せず）を備えている。
【００８８】
また、本実施形態５のテレビジョン装置１では、図９に示すような処理テーブルがＲＯＭ１１に予め格納されており、処理テーブルにおいて、リモコン装置１から受け付けたコード信号及びこのコード信号を受け付けた受光部１６，１８，２０，２２の受付順序に対応付けて実行すべき処理が登録されている。なお、図９中の第１コード信号は、ユーザがスペシャルキーを操作した場合に制御部１０がコード処理部２４から取得するコード信号を示す。
【００８９】
従って、本実施形態５では、コード処理部２４は、第１コード解析部１７、第２コード解析部１９、第３コード解析部２１及び第４コード解析部２３からそれぞれ取得したコード信号に基づいて、リモコン装置３から発せられたコード信号を特定すると共に、該コード信号を受け付けた受光部（左側受光部１６、上側受光部１８、右側受光部２０又は下側受光部２２）の受付順序を特定し、特定した各情報を制御部１０へ通知する。
【００９０】
制御部１０は、コード処理部２４から通知された情報に従って、リモコン装置３から受け付けたコード信号、及び該コード信号を受け付けた受光部１６，１８，２０，２２の受付順序に対応する処理が処理テーブルに登録してある場合に、対応する処理に係る制御プログラムを実行する。具体的には、例えばユーザがリモコン装置３の送信部３０を左側受光部１６に向けた状態でスペシャルキーを操作し、スペシャルキーを操作したまま送信部３０を右側受光部２０に向けた場合、制御部１０は、スピーカから出力される音量を所定量だけ上げる処理を行なう。
【００９１】
本実施形態５では、上述したように予め設定してある操作ボタンを操作した状態で予め設定してある順序で各受光部１６，１８，２０，２２に向けて操作することにより、所定の処理を実行させることができるので、ユーザのキー操作による負担を軽減することができる。また、上述した実施形態５では、１つのスペシャルキーをリモコン装置３に備えた構成について説明したが、複数のスペシャルキーを設けてもよいことはいうまでもない。
【００９２】
上述した各実施形態では、本発明の電気機器を液晶表示テレビジョン装置１に適用した例について説明したが、例えばＣＲＴディスプレイを備えたテレビジョン装置、チューナ装置を介して映像信号を受信するように構成されたディスプレイ装置、接続された表示装置に映像を転送して表示させることが可能な記録再生装置等においても本発明を適用することができる。また、実施形態５で示した本発明の電気機器は、上述したような映像表示装置に限られず、リモコン装置によって遠隔から機器本体を操作できる装置であれば適用することができる。
【図面の簡単な説明】
【００９３】
【図１】実施形態１に係るテレビジョン装置の構成例を示す模式図である。
【図２】実施形態１に係るテレビジョン装置の構成例を示すブロック図である。
【図３】実施形態１に係るテレビジョン装置の設定条件の設定処理の手順を示すフローチャートである。
【図４】実施形態２に係るテレビジョン装置の構成例を示す模式図である。
【図５】メニュー画面の構成例を示す模式図である。
【図６】実施形態３に係るテレビジョン装置の構成例を示す模式図である。
【図７】実施形態４に係るテレビジョン装置の構成例を示す模式図である。
【図８】実施形態４に係るテレビジョン装置の構成例を示すブロック図である。
【図９】実施形態５の処理テーブルの構成例を示す模式図である。
【図１０】従来のテレビジョン装置の一般的な構成例を示す模式図である。
【図１１】従来のテレビジョン装置に表示されるメニュー画面の変形例を示す模式図である。
【符号の説明】
【００９４】
１  テレビジョン装置（電気機器）
１０  制御部（変更手段）
１５  表示部
１６  左側受光部（コード受付部）
１８  上側受光部（コード受付部）
２０  右側受光部（コード受付部）
２２  下側受光部（コード受付部）
２５  通常受光部（全コード受付部）
３  リモコン装置（遠隔操作機）
３３  メニューキー（操作スイッチ）
【図１】
2006339886.tif 000003
【図２】
2006339886.tif 000004
【図３】
2006339886.tif 000005
【図４】
2006339886.tif 000006
【図５】
2006339886.tif 000007
【図６】
2006339886.tif 000008
【図７】
2006339886.tif 000009
【図８】
2006339886.tif 000010
【図９】
2006339886.tif 000011
【図１０】
2006339886.tif 000012
【図１１】
2006339886.tif 000013